(57)【要約】【課題】  半導体又は液晶表示装置（ＬＣＤ）の配電盤に設けられた電源遮断器と接続されるパッドロックを自動的に制御することのできる自動制御パッドロック装置を提供すること。【解決手段】  本発明は、配電盤に設けられた電源遮断器の上面に電源を負荷端に供給及び遮断可能な一対のシリンダーを直接的に設けて、外部制御信号により前記一対のシリンダーを選択的に動作させて前記電源遮断器のスイッチをオン、オフにすることにより、前記電源遮断器をオン、オフに切り換えるパッドロックを別設しなくてもよいことから、前記電源遮断器と分離してパッドロックの別設に伴う煩雑さ及び構成の複雑さを解消することができ、且つ、前記電源遮断器にパッドロックを設けることにより、電源遮断器及びパッドロックの構成がその分簡素化されて前記配電盤の空間活用度を大幅に向上させることができるという効果を提供する。
2017503328.tif 000002
【特許請求の範囲】
【請求項１】
一方の側に電源端が形成され、他方の側に負荷端が形成され、中央に前記電源端及び前記負荷端に切り換えられて駆動されるスイッチが形成された電源遮断器と、
前記電源遮断器のスイッチの一方の側及び他方の側に設けられて外部制御信号によりそれぞれに設けられたシリンダーロッドを駆動して前記スイッチを切り換える一対のシリンダーと、
前記一対のシリンダーにそれぞれ設けられたシリンダーロッドの先端に設けられ、中央に上方に開放された係合口が形成される四角板状の押し棒と、前記押し棒の係合口に一方の側が嵌入され、他方の側が前記シリンダーロッドに締め付けられる締め具と、により形成されて前記シリンダーの作動により前記電源遮断器のスイッチを押して切り換える作動部と、
を備える自動制御パッドロック装置。
【請求項２】
前記電源遮断器の上面には、一方の端及び他方の端をそれぞれ下向きに折り曲げ、前記下向きに折り曲げられた一方の端及び他方の端の先端部を外向きに折り曲げ、中央に前記電源遮断器のスイッチが嵌入されて切り換えられて案内される案内孔を形成したベース板体と、前記ベース板体の上面の一方の側及び他方の側に前記一対のシリンダーを固定する一対の固定ブラゲットと、を形成する請求項１に記載の自動制御パッドロック装置。
【請求項３】
前記一対の固定ブラゲットは、下部から上部に進むにつれて狭くなるように形成され、前記下部の端部が内側に折り曲げられて前記ベース板体に固定される両側板と、前記両側板の上部に前記一対のシリンダーの下部が固定される固定孔と、を備える請求項２に記載の自動制御パッドロック装置。
【請求項４】
前記一対のシリンダーは、各角部に一対の固定ブラゲットの固定孔に固定される固定部を形成し、外周面に空気が注入される空気注入口を形成する請求項１〜３のいずれか一項に記載の自動制御パッドロック装置。
【請求項５】
前記一対のシリンダーは、空圧により作動される請求項１〜４のいずれか一項に記載の自動制御パッドロック装置。
【請求項６】
一方の側に電源端が形成され、他方の側に負荷端が形成され、中央に前記電源端及び前記負荷端に切り換えられて駆動されるスイッチが形成された電源遮断器と、
前記電源遮断器のスイッチの一方の側及び他方の側に設けられて外部制御信号によりそれぞれに設けられたシリンダーロッドを駆動して前記スイッチを切り換える一対のシリンダーと、
前記電源遮断器のスイッチが内部に嵌入され、前記シリンダーロッドの間に設けられて前記シリンダーロッドの駆動により前記スイッチを切り換え、上部の両側に摺動孔が形成されたスイッチブロックと、
前記スイッチブロックの移動を案内するために設けられる複数の案内バーと、
を備え、
前記複数の案内バーは、前記スイッチブロックに形成される摺動孔を貫通し、一方の端が前記一対のシリンダーのうちのいずれか一方のシリンダーに設けられ、他方の端が他方のシリンダーに設けられる自動制御パッドロック装置。
【発明の詳細な説明】
【技術分野】
【０００１】
本発明は、自動制御パッドロック装置に係り、更に詳しくは、半導体又は液晶表示装置（ＬＣＤ）の配電盤に設けられた電源遮断器と接続されるパッドロック（ＰＡＤ  ＬＯＣＫ）を自動的に制御することのできる自動制御パッドロック装置に関する。
【背景技術】
【０００２】
一般に、半導体又は液晶表示装置（ＬＣＤ）の配電盤に設けられた電源遮断器は、線路上において正常電流の開閉及び漏電又は過電流などの事故電流が生じたときに前記制御盤の事故電流を遮断する機能を有する装置であり、前記電源遮断器は、制御盤の扉と連動させて扉を閉じるときに電源を遮断し、扉を閉じるときには電源を供給するパッドロック（ＰＡＤ  ＬＯＣＫ）（外部操作ハンドル）を用いている。
【０００３】
このようにして用いられる従来のパッドロックは、例えば、下記の特許文献１（発明の名称：配線用遮断器の外部操作ハンドル装置）に開示されている。前記配線用遮断器の外部操作ハンドル装置は、図１に示すように、配線用遮断器にハンドル７０を収めるように組み付けられ、内部部品の動作時に支持台の役割を果たすハンドルケース５０と、前記ハンドルケース５０の上面に取り付けられて回転により外部からハンドル７０が操作可能な操作ハンドル２０と、前記操作ハンドル２０と連結されて回転力を伝えるピニオンギア８０と、前記ピニオンギア８０と係合されて回転運動を直線運動に切り換えて前記ハンドル７０を操作するラックギア９０と、前記ハンドルケース５０に固定されて前記ラックギア９０の動作をガイドするガイドレール１００と、を備える。
【０００４】
このような従来の配線用遮断器の外部操作ハンドル装置は、配電盤の扉に取り付けられた操作ハンドル２０を作動させてピニオンギア８０、ラックギア９０、ガイドレール１００、ハンドル７０と連動させて配線用遮断器をオン、オフ操作する、すなわち、配電盤の遮断器とは別設されており、前記配電盤の外部からマニュアルで操作するようになっている。
【０００５】
これらに加えて、前記配電盤の遮断器は、操作ハンドル２００により前記扉の近くに設けられるため、その分前記配電盤は自体空間が確保され難いという問題があり、しかも、前記操作ハンドルのマニュアル操作による装置を別設せねばならないため、全体的な構成が複雑になって外部操作ハンドル装置の信頼性が低下するという問題がある。
【０００６】
また、従来の他のパッドロック装置は、例えば、下記の特許文献２（発明の名称：配線用遮断器のモーターインターロック装置）に開示されている。図２に示すように、前記配線用遮断器のモーターインターロック装置は、回転運動を発生させるモーター３０２と、前記モーターの回転方向に応じて左／右方向に前進及び後退を反転させるように電気モーターと連動された軸受け３０４と、前記軸受けの左／右運動に応じて二つの配線用遮断器のハンドル３１０を一つは投入方向に力を加え、もう一つは遮断方向に力を加える操作子３０６と、により構成されている。
【０００７】
このような構成を有する前記従来の配線用遮断器のモーターインターロック装置は、遮断器をマニュアルで操作せねばならないという煩雑さを解消することはできるが、これもまた、前記配線用遮断器３０８とは別途に、外部制御信号により動作するモーター３０２及びモーター３０２により駆動する軸受け３０４、前記軸受け３０４の駆動によりハンドル３１０を操作する操作子３０６を設けなければならず、しかも、前記配電盤の遮断器を扉の近くに設けなければならないため、配電盤の空間が確保され難いという問題を依然として抱えている。
【先行技術文献】
【特許文献】
【０００８】
【特許文献１】韓国特許出願第１０−２００４−０１０７３０３号
【特許文献２】韓国実用新案登録出願第２０−２００５−００３０１６６号
【発明の開示】
【発明が解決しようとする課題】
【０００９】
本発明は前記問題を解消するために案出されたものであり、その目的は、配電盤の電源遮断器にパッドロック装置を直接的に設けて前記パッドロックを前記遮断器とは別設することに伴う煩雑さを解消することにある。
【００１０】
また、本発明の他の目的は、パッドロック装置を電源遮断器に設けることにより、パッドロック装置の構成を簡素化させ、配電盤の空間を十分に確保することにある。
【課題を解決するための手段】
【００１１】
前記目的を達成するための本発明の手段は、一方の側に電源端が形成され、他方の側に負荷端が形成され、中央に前記電源端及び前記負荷端に切り換えられて駆動されるスイッチが形成された電源遮断器と、前記電源遮断器のスイッチの一方の側及び他方の側に設けられて外部制御信号によりそれぞれに設けられたシリンダーロッドを駆動して前記スイッチを切り換える一対のシリンダーと、前記一対のシリンダーにそれぞれ設けられたシリンダーロッドの先端に設けられ、中央に上方に開放された係合口が形成される四角板状の押し棒と、前記押し棒の係合口に一方の側が嵌入され、他方の側が前記シリンダーロッドに締め付けられる締め具と、により形成されて前記シリンダーの作動により前記電源遮断器のスイッチを押して切り換える作動部と、を備えることを特徴とする。
【００１２】
本発明の手段において、前記電源遮断器の上面には、一方の端及び他方の端をそれぞれ下向きに折り曲げ、前記下向きに折り曲げられた一方の端及び他方の端の先端部を外向きに折り曲げ、中央に前記電源遮断器のスイッチが嵌入されて切り換えられて案内される案内孔を形成したベース板体と、前記ベース板体の上面の一方の側及び他方の側に前記一対のシリンダーを固定する一対の固定ブラゲットと、を形成することを特徴とする。
【００１３】
本発明の手段において、前記一対の固定ブラゲットは、下部から上部に進むにつれて狭くなるように形成され、前記下部の端部が内側に折り曲げられて前記ベース板体に固定される両側板と、前記両側板の上部に前記一対のシリンダーの下部が固定される固定孔と、を備えることを特徴とする。
【００１４】
本発明の手段において、前記一対のシリンダーは、各角部に一対の固定ブラゲットの固定孔に固定される固定部を形成し、外周面に空気が注入される空気注入口を形成することを特徴とする。
【００１５】
本発明の手段において、前記一対のシリンダーは、空圧により作動されることを特徴とする。
【００１６】
本発明の手段において、一方の側に電源端が形成され、他方の側に負荷端が形成され、中央に前記電源端及び前記負荷端に切り換えられて駆動されるスイッチが形成された電源遮断器と、前記電源遮断器のスイッチの一方の側及び他方の側に設けられて外部制御信号によりそれぞれに設けられたシリンダーロッドを駆動して前記スイッチを切り換える一対のシリンダーと、前記電源遮断器のスイッチが内部に嵌入され、前記シリンダーロッドの間に設けられて前記シリンダーロッドの駆動により前記スイッチを切り換え、上部の両側に摺動孔が形成されたスイッチブロックと、前記スイッチブロックの移動を案内するために設けられる複数の案内バーと、を備え、前記複数の案内バーは、前記スイッチブロックに形成される摺動孔を貫通し、一方の端が前記一対のシリンダーのうちのいずれか一方のシリンダーに設けられ、他方の端が他方のシリンダーに設けられることを特徴とする。
【発明の効果】
【００１７】
本発明によれば、配電盤に設けられた電源遮断器の上面に電源を負荷端に供給及び遮断可能な一対のシリンダーを直接的に設けて、外部制御信号により前記一対のシリンダーを選択的に動作させて前記電源遮断器のスイッチをオン、オフにすることにより、前記電源遮断器をオン、オフに切り換えるパッドロックを別設しなくてもよいことから、前記電源遮断器と分離してパッドロックの別設に伴う煩雑さ及び構成の複雑さを解消することができるという効果を奏する。
【００１８】
また、本発明によれば、前記電源遮断器にパッドロックを設けることにより、電源遮断器及びパッドロックの構成がその分簡素化されて前記配電盤の空間活用度を大幅に向上させることができるという効果を奏する。
【図面の簡単な説明】
【００１９】
【図１】従来の配線用遮断器の外部操作ハンドル装置の分解斜視図である。
【図２】従来の配線用遮断器のモーターインターロック装置の斜視図である。
【図３】本発明の自動制御パッドロック装置の斜視図である。
【図４】本発明の自動制御パッドロック装置の分解斜視図である。
【図５】本発明の自動制御パッドロック装置の電源供給動作状態図である。
【図６】本発明の自動制御パッドロック装置の電源遮断動作状態図である。
【図７】本発明の自動制御パッドロック装置の他の実施形態である。
【図８】本発明の他の実施形態による電源供給動作状態図である。
【図９】本発明の他の実施形態による電源遮断動作状態図である。
【発明を実施するための形態】
【００２０】
以下、添付図面に基づき、本発明について詳細に説明する。
【００２１】
図３は、本発明の自動制御パッドロック装置の斜視図である。
【００２２】
図３に示すように、本発明の自動制御パッドロック装置１００は、負荷端に電源を供給し且つ遮断するスイッチ１１１が形成された電源遮断器１１０と、前記電源遮断器１１０の上面に固設され、前記スイッチ１１１の切り換え動作を案内するベース板体１２０と、前記ベース板体１２０の上面の一方の側及び他方の側に固設される一対の固定ブラゲット１３０と、前記一対の固定ブラゲット１３０にそれぞれ固設されて外部制御信号により選択的に作動しながら前記スイッチ１１１を切り換えて動作させる一対のシリンダー１４０、１５０及びシリンダーロッド１４１、１５１、前記シリンダーロッド１４１、１５１の先端にそれぞれ係合されて前記シリンダー１４０、１５０の作動により前記電源遮断器１１０のスイッチ１１１を押して切り換える作動部１４５により構成される。
【００２３】
図４は、本発明の自動制御パッドロック装置の分解斜視図である。
【００２４】
図４に示すように、前記電源遮断器１１０は、一方の端に外部から電源が入力される電源端と、他方の端に前記電源端から入力される電源を出力する負荷端と、前記電源端と負荷端との間に設けられて前記電源端及び負荷端に切り換えて動作させて前記負荷端に電源端の電源を供給及び遮断するスイッチ１１１と、により構成される。
【００２５】
前記ベース板体１２０は、一方の端及び他方の端をそれぞれ下向きに折り曲げ、前記折り曲げられた一方の端及び他方の端の先端部を外向きに折り曲げて前記電源遮断器１１０に固定し、中央に前記電源遮断器１１０のスイッチ１１１が嵌入されて切り換えられて案内される案内孔１２１が形成される。
【００２６】
このため、前記ベース板体１２０は、前記電源遮断器１１０の上面と外向きに折り曲げられた先端部により離れた状態で固設されるが、前記案内孔１２１に電源遮断器１１０のスイッチ１１１が嵌入された状態で固定されて、前記ベース板体１２０は、電源遮断器１１０と絶縁状態を維持するとともに、前記スイッチ１１１が案内孔１２１に案内されて切り換え動作をするため、前記スイッチ１１１の正確な切り換え動作を誘導することになる。
【００２７】
前記一対の固定ブラゲット１３０には、下部が広く、上部に進むにつれて狭くなり、前記下部が内側に折り曲げられて形成されて前記ベース板体１２０の上面に固定される両側板１３１と、前記両側板１３１の上部に前記一対のシリンダー１４０、１５０の下部を固定する固定孔１３２と、を形成する。
【００２８】
このため、前記一対の固定ブラゲット１３０は、前記ベース板体１２０に内側に折り曲げられた個所が固定され、上部に固定孔１３２により一対のシリンダー１４０、１５０が安定された状態で固設される。
【００２９】
前記一対のシリンダー１４０、１５０及びシリンダーロッド１４１、１５１は、外縁に固定部１４２、１５２及び一方の側面に空気を注入する空気注入孔１４３、１５３が形成される。
【００３０】
ここで、前記一対のシリンダー１４０、１５０は、単動の空圧シリンダーとして形成して、空気注入孔１４３、１５３に注入される空気を用いてシリンダーロッド１４１、１５１を前進運動させる。
【００３１】
前記作動部１４５には、中央に上方に開放された係合口１４６を形成する四角板状の押し棒１４７と、前記押し棒１４７の係合口１４６に一方の側が嵌入されて締め付けられ、他方の側が前記シリンダーロッド１４１、１５１に締め付けられる締め具１４８と、を形成する。
【００３２】
このため、前記作動部１４５は、一対のシリンダー１４０、１５０のシリンダーロッド１４１、１５１の作動につれて作動しながら電源遮断器１１０のスイッチ１１１を押し棒１４７で押して前記スイッチ１１１を切り換えることにより、前記電源遮断器１１０の電源端及び負荷端を接続したり短絡したりして前記負荷端に電源を供給及び遮断する。
【００３３】
図５は、本発明の自動制御パッドロック装置の電源供給動作状態図であり、図６は、本発明の自動制御パッドロック装置の電源遮断動作状態図である。
【００３４】
配電盤に設けられる電源遮断器１１０の上面にベース板体１２０及び一対の固定ブラゲット１３０を固設し、前記一対の固定ブラゲット１３０に電源端から負荷端に電源を供給及び遮断するスイッチ１１１を切り換えて動作させる一対のシリンダー１４０、１５０及びシリンダーロッド１４１、１５１を固設した状態で、前記一対のシリンダー１４０、１５０に形成された空気注入孔１４３、１５３のうちのいずれか一方の空気注入孔１４３、１５３に空気を注入し、前記空気の注入されたシリンダー１４０、１５０は、シリンダーロッド１４１、１５１を作動させてシリンダーロッド１４１、１５１に係合された作動部１４５を用いて前記スイッチ１１１を作動させて負荷端に電源を供給及び遮断する。
【００３５】
このため、図５に示すように、配電盤の扉を閉じると、外部制御信号によりソレノイド（図示せず）が作動しながらエアポンプ（図示せず）から一対のシリンダー１４０、１５０のうちシリンダー１５０の空気注入孔１５３に空気が注入され、前記空気の注入されたシリンダー１５０は、シリンダーロッド１５１を作動させて前記シリンダーロッド１５１の先端に係合された作動部１４５の押し棒１４７で前記電源遮断器１１０のスイッチ１１１を押し、前記スイッチ１１１はベース板体１２０に形成された案内孔１２１により案内されて電源端及び負荷端を接続して電源を負荷端に供給する。
【００３６】
一方、図６に示すように、配電盤の扉を開くと、外部制御信号によりソレノイド（図示せず）が作動しながらエアポンプ（図示せず）からシリンダー１５０へのエアの供給を遮断し、逆に、シリンダー１４０の空気注入孔１４３に空気を注入し、前記空気の注入されたシリンダー１４０は、シリンダーロッド１４１を作動させて前記シリンダーロッド１４１の先端に係合された作動部１４５の押し棒１４７で前記電源遮断器１１０のスイッチ１１１を押す。
【００３７】
このとき、前記スイッチ１１１は、ベース板体１２０に形成された案内孔１２１により案内されながら押されながら前記シリンダー１５０のシリンダーロッド１５１を一緒に押して電源の供給時に押されていたシリンダーロッド１５１を元の状態に戻しながら前記負荷端から電源端にスイッチ１１１を切り換えて前記電源遮断器１１０の電源端及び負荷端を引き離すことにより、負荷端への電源の供給を遮断する。
【００３８】
図７は、本発明の自動制御パッドロック装置の他の実施形態である。
【００３９】
図７に示すように、本発明の自動制御パッドロック１００は、図３に示す負荷端に電源を供給し且つ遮断するスイッチ１１１が設けられた電源遮断器１１０と、前記電源遮断器１１０の上面に固設され、前記スイッチ１１１の切り換え操作を案内するベース板体１２０と、前記ベース板体１２０の上面の一方の側及び他方の側に固設される一対の固定ブラゲット１３０と、前記一対の固定ブラゲット１３０にそれぞれ固設されて選択的に往復運動しながら前記スイッチ１１１を切り換えて動作させる一対のシリンダー１４０、１５０及びシリンダーロッド１４１、１５１を備え、前記一対のシリンダー１４０、１５０の間に設けられて前記電源遮断器１１０のスイッチ１１１を切り換えるスイッチブロック１６０、及び前記スイッチブロック１６０を挿通した状態で一方の側及び他方の側が一対のシリンダー１４０、１５０に締め付けられて前記スイッチブロック１６０を摺動案内する案内バー１７０を備える。
【００４０】
前記スイッチブロック１６０は矩形体状に形成するが、内部に前記電源遮断器１１０のスイッチ１１１に嵌入されるように上下に貫通されるスイッチ孔１６１を形成するが、前記矩形体の一方の面と向かい合う他方の面の上部の両側に前記案内バー１７０が嵌入されて摺動される摺動孔１６２を形成する。
【００４１】
ここで、前記案内バー１７０は、一方の端及び他方の端を前記電源遮断器１１０のスイッチ１１１に嵌入されるスイッチブロック１６０の摺動孔１６２に嵌入した状態で、前記一対のシリンダー１４０、１５０の固定部１４２、１５２に嵌入して締め付ける。
【００４２】
このため、前記スイッチブロック１６０は、スイッチ孔１６１の内側に前記電源遮断器１１０のスイッチ１１１が嵌入され、前記上部の両側に形成された摺動孔１６２には前記案内バー１７０が嵌入されて摺動されながら前記スイッチ１１１を切り換えるので、前記スイッチ１１１は前記スイッチブロック１６０及び案内バー１７０により正確な切り換え動作を維持する。
【００４３】
図８は、本発明の他の実施形態による電源供給動作状態図であり、図９は、本発明の他の実施形態による電源遮断動作状態図である。
【００４４】
図８に示すように、配電盤の扉を閉じると、外部制御信号によりソレノイド（図示せず）が作動しながらエアポンプ（図示せず）から一対のシリンダー１４０、１５０のうちシリンダー１５０の空気注入孔１５３に空気を注入し、前記空気の注入されたシリンダー１５０は、シリンダーロッド１５１を作動させて前記案内バー１７０に嵌入され、下部が前記電源遮断器１１０のスイッチ１１１を嵌入しているスイッチブロック１６０を前方に押す。
【００４５】
このため、前記スイッチブロック１６０は、案内バー１７０により案内されて摺動しながら前方に移動して前記スイッチ１１１を電源端及び負荷端を接続して負荷端に電源を供給する。
【００４６】
図９に示すように、配電盤の扉を開くと、前記シリンダー１５０に供給される空気の注入を遮断し、前記シリンダー１４０の空気注入孔１４３に空気を注入すると、前記空気の注入されたシリンダー１４０は、シリンダーロッド１４１を作動させて前記案内バー１７０に嵌入され、下部が前記電源遮断器１１０のスイッチ１１１を嵌入しているスイッチブロック１６０を前方に押す。
【００４７】
このため、前記スイッチブロック１６０に嵌入された前記電源遮断器１１０のスイッチ１１１は、前記スイッチブロック１６０により負荷端から電源端へと切り換えられ、このとき、前記スイッチブロック１６０は、前記シリンダー１５０のシリンダーロッド１５１を一緒に押して前記シリンダー１５０のシリンダーロッド１５１を元の状態に戻し、前記スイッチ１１１は、電源端及び負荷端を引き離すことにより、負荷端への電源の供給を遮断することが可能になる。
【符号の説明】
【００４８】
１００：自動制御パッドロック
１１０：電源遮断器
１１１：スイッチ
１２０：ベース板体
１２１：案内孔
１３０：固定ブラゲット
１３１：両側板
１３２：固定孔
１４０、１５０：シリンダー
１４１、１５１：シリンダーロッド
１４２、１５２：固定部
１４３．１５３：空気注入孔
１４５：作動部
１４６：係合口
１４７：押し棒
１４８：締め具
１６０：スイッチブロック
１６１：スイッチ孔
１６２：摺動孔
１７０：案内バー
【図１】
2017503328.tif 000003
【図２】
2017503328.tif 000004
【図３】
2017503328.tif 000005
【図４】
2017503328.tif 000006
【図５】
2017503328.tif 000007
【図６】
2017503328.tif 000008
【図７】
2017503328.tif 000009
【図８】
2017503328.tif 000010
【図９】
2017503328.tif 000011
【国際調査報告】
2017503328.tif 000012
2017503328.tif 000013
2017503328.tif 000014
2017503328.tif 000015